(57)【特許請求の範囲】
【請求項１】
一端開口で開口部内面にバネカツラを有する外キャップと一端開口で底部に空気孔を有する有底筒状の内キャップを具えた筆記具用キャップであって、前記内キャップの開口端部に、開口端に開放する軸方向のスリットを少なくとも２本設けて筆記具の胴後部を弾性圧接する複数の舌片を形成し、薄板金属筒よりなる保持部材を前記内キャップの外側における当該内キャップの開口端部より底側に、当該保持部材の一端部を前記内キャップの開口端部より突出させると共に当該保持部材と前記舌片との間に当該舌片が揺動自在となる間隙を設けて固着し、前記保持部材の一端部に、筆記具の首部外周面を弾性圧接する内方に凸の環状弾性部材を設けてなることを特徴とした筆記具用キャップ。
【請求項２】
前記内キャップの空気孔と該内キャップ内とを連通させる孔を設けた衝止部を一端側に有するストッパーの他端部に、前記外キャップに固定した内キャップ取付具の一端部を前記内キャップの空気孔との間に間隙を設けて固定し、前記内キャップと前記内キャップ取付具との間にコイルスプリングを装着して当該内キャップの底部が前記ストッパーの衝止部に衝止するまで移動可能に付勢し、前記内キャップ取付具に前記内キャップが当接する係止部を形成して該内キャップの内方への移動を規制し、前記保持部材に環状弾性部材を設けると共に、前記内キャップ取付具に前記内キャップ底外面を圧接する第２の環状弾性部材を設けることにより、前記キャップに筆記具の首部を嵌合するときには、筆記具の首部で前記内キャップを前記コイルスプリングの弾発に抗して当該内キャップが前記内キャップ取付具の係止部にて停止するまで押動して内方へ移動させ、前記保持部材に設けた環状弾性部材を前記首部外周面にて圧接変形させシールし且つ前記内キャップ底外面の空気孔外周部にて前記内キャップ取付具に設けた第２の環状弾性部材を圧接変形させシールして前記両環状弾性部材間を気密空間とし、前記キャップから筆記具の首部を外すときには、前記コイルスプリングの弾発により前記内キャップ底外面が前記第２の環状弾性部材から離間した後に前記保持部材に設けた環状弾性部材から筆記具の首部を引き抜くようにしてなることを特徴とした請求項１に記載の筆記具用キャップ。
【発明の詳細な説明】
【０００１】
【発明の属する技術分野】
本発明は、インクを内蔵する万年筆、水性ボールペン、サインペン等の筆記具用キャップに関する。
【０００２】
【従来の技術】
従来、内キャップを有するキャップにおいて非筆記時にキャップを首部に嵌合するときは、ペン先からインクが乾燥しないように、首部を内キャップ等に微妙に圧接して、ペン先部を密閉し気密を保つと同時にキャップ開口部のバネカツラで首部外周面を弾性保持していた。そして、筆記時にこのキャップを胴後部に嵌合するときは、内キャップに前述したように気密を保持するために胴後部を弾性保持することはできず、バネカツラのみで胴後部を弾性保持していたが、一箇所だけの保持であるため安定した胴後部の嵌合とはならなかった。
【０００３】
【発明が解決しようとする課題】
本発明は前記欠点を解決すること、すなわち、キャップを首部に嵌合したときの気密性を損なうことなく、かつ、キャップを胴後部に嵌合したとき、バネカツラとともに内キャップでも保持できて安定した胴後部の嵌合が可能となる、筆記具用キャップをその目的とする。
【０００４】
【課題を解決するための手段】
本発明は前記課題の解決手段として、筆記具用キャップを、一端開口で開口部内面にバネカツラを有する外キャップと一端開口で底部に空気孔を有する有底筒状の内キャップを具えた筆記具用キャップであって、前記内キャップの開口端部に、開口端に開放する軸方向のスリットを少なくとも２本設けて筆記具の胴後部を弾性圧接する複数の舌片を形成し、薄板金属筒よりなる保持部材を前記内キャップの外側における当該内キャップの開口端部より底側に、当該保持部材の一端部を前記内キャップの開口端部より突出させると共に当該保持部材と前記舌片との間に当該舌片が揺動自在となる間隙を設けて固着し、前記保持部材の一端部に、筆記具の首部外周面を弾性圧接する内方に凸の環状弾性部材を設けてなる構成とした。
【０００５】
また、請求項２の発明として、前記内キャップの空気孔と該内キャップ内とを連通させる孔を設けた衝止部を一端側に有するストッパーの他端部に、前記外キャップに固定した内キャップ取付具の一端部を前記内キャップの空気孔との間に間隙を設けて固定し、前記内キャップと前記内キャップ取付具との間にコイルスプリングを装着して当該内キャップの底部が前記ストッパーの衝止部に衝止するまで移動可能に付勢し、前記内キャップ取付具に前記内キャップが当接する係止部を形成して該内キャップの内方への移動を規制し、前記保持部材に環状弾性部材を設けると共に、前記内キャップ取付具に前記内キャップ底外面を圧接する第２の環状弾性部材を設けることにより、前記キャップに筆記具の首部を嵌合するときには、筆記具の首部で前記内キャップを前記コイルスプリングの弾発に抗して当該内キャップが前記内キャップ取付具の係止部にて停止するまで押動して内方へ移動させ、前記保持部材に設けた環状弾性部材を前記首部外周面にて圧接変形させシールし且つ前記内キャップ底外面の空気孔外周部にて前記内キャップ取付具に設けた第２の環状弾性部材を圧接変形させシールして前記両環状弾性部材間を気密空間とし、前記キャップから筆記具の首部を外すときには、前記コイルスプリングの弾発により前記内キャップ底外面が前記第２の環状弾性部材から離間した後に前記保持部材に設けた環状弾性部材から筆記具の首部を引き抜くようにしてなる構成とした。
【０００６】
【発明の実施の態様】
本発明はこの構成により、キャップを首部に嵌合すると、内キャップにスリットを入れた舌片があっても、内キャップに固着した保持部材に設けた環状弾性部材が首部外周面を圧接変形してペン先収納の内キャップ内を気密空間にするので、インク乾燥はほぼ完全に防止できる。また、キャップを胴後部に嵌合すると、胴後部はバネカツラとともに内キャップの舌片でも嵌着されて２箇所での保持となるため、首部嵌合時の気密性を損なうことなく安定した胴後部の嵌合が得られる。
【０００７】
保持部材は、薄肉金属筒状のものとして舌片との間に間隙を形成し、先端部に環状弾性部材を設けると、舌片が前記間隙内で弾性揺動するので胴後部をバネカツラとともにより好適に弾性保持できる。また、首部挿入時に内キャップにスリットがあっても、その外側に薄肉金属筒状の保持部材と環状弾性部材があるため、内キャップの気密機能を損なわずインク乾燥を防止できる。
【０００８】
なお、本発明は万年筆、ボールペン、繊維ペン等に適用できる。また、本発明における２つの環状弾性部材はフィン状、溝付き山形状、中空状のもの等が使用でき、材質としては各種の合成ゴム、ウレタンゴム、シリコンゴム、エチレンプロピレンゴム等弾性変形するものが使用できる。
【０００９】
また、請求項２の構造にすると、胴後部の嵌合とともに首部嵌合でも好適となる。すなわち、首部嵌合時は２つの弾性部材で気密化するのでほぼ完全な乾燥防止となり過剰の加圧もない。そして、首部離脱時には、キャップと首との係合を外すと、内キャップはコイルスプリングにより首部とともに内キャップの底部がストッパーに衝止するまで開口側へ移動する。この状態で、第２の環状弾性部材は内キャップ底外面の空気孔外周部から離れるので、空気が内キャップの空気孔より進入してペン先部を収納したキャップの内部が気密空間から大気連通状態へと変わり、この状態で首部を内キャップから引き抜いても急激な負圧変化は起こらず、ぺン先からのインク漏れはない。
【００１０】
【実施例】
以下、本発明による実施例を図面により説明するが、本発明はこの実施例に限定するものではない。筆記具用キャップ１はペン先を有する首部２および胴後部３を嵌合するものであって、一端が開口した外キャップ４と空気孔５を有する有底筒状の内キャップ６を備え、外キャップ４の他端部はクリップ７の固定部を重ね頭栓８と内キャップ取付具９で挟んで固定してある。内キャップ取付具９の一端部にはストッパー１０の他端部を固定し、ストッパー１０はその他端部を内キャップ６の空気孔５と内キャップ取付具９の一端部との間に間隙を有して挿入し、その一端部の先端部に孔１１ａを有する鍔状の衝止部１１を配している。内キャップ取付具９の外周部と内キャップ６の段部間にはコイルスプリング１２を装着して内キャップ６をその底内面がストッパー１０に衝止するまで移動するよう付勢してある。
【００１１】
内キャップ取付具９のコイルスプリング１２を受ける部分より内方には、溝付き山形状の第２の環状弾性部材１３を取付けてあり、内キャップ６が外キャップ４の内方（図で左方）へ移動すると、この第２の環状弾性部材１３が内キャップ６底外面の空気孔外周部に圧接し変形してシールし、さらに内キャップ６が開口側へ移動し内キャップ６の底部がストッパー１０の衝止部１１で止まったとき、第２の環状弾性部材１３が内キャップ６の底外面より僅かに離れて内部と大気連通するようにしてある。
【００１２】
内キャップ６の開口部は、僅かに小径にし、かつ開口端に開放する軸方向のスリットを入れて２つの舌片１４からなる小径部を設けてある。また、内キャップ６の舌片１４より内方部（図で左方）には薄肉金属筒よりなる保持部材１５の他端部を、外面が内キャップ６の外面とほぼ面一となるよう固着し、その他端部を内キャップ６の開口端より突出させ、その先端部に内方へのフィン状をなす環状弾性部材１６を固着して、首部２の外周面に圧接され変形してペン先部収納の内部をシールするようにしてある。なお、舌片１４と保持部材１５との間には間隙gを形成して舌片１４が僅かに揺動できるようにしてある。
【００１３】
外キャップ４の開口部には周知のバネカツラ１７を取付けて、首部外周面および胴後端部に弾性圧接して嵌着できるようにしてある。なお、外キャップ４の外端部には係合部１８を設けて首部２の係合部１９と係脱可能としてある。また、内キャップ取付具９は、第２の環状弾性部材１３の先端縁より僅か内方（図で左方）箇所に段差を設けて係止部２０として、内キャップ６の内方への移動を停止させる。このため、係合部１８，１９等各部品を厳密とせずに多少の誤差があっても、確実に所定位置で止めることができるので、気密化した両環状弾性部材１３，１６間内を過度に加圧しないようにしてある。
【００１４】
筆記しないとき筆記具用キャップ１を首部２に被せるには、図１のように首部２の先端部を外キャップ４内に挿入し、首部２の先端角部で内キャップ６の開口端部をコイルスプリング１２の弾発に抗しつつ押圧して外キャップ４内をともに内方（図で左方）へ移動し、首部２の係合部１９が外キャップ４の係合部１８に係合して停止し図２を経て図３のようになる。この移動のとき、首部２の外周面が環状弾性部材１６を圧接変形させるが、ストッパー１０の孔１１ａと内キャップ６の空気孔５と内キャップ取付具９との間隙を通じて空気は移動し、首部２の係合部１９が外キャップ４の係合部１８に係合停止する僅か前で内キャップ６底外面の空気孔５外周部が第２の環状弾性部材１３に接し、圧接変形させ係止部２０の近くで停止し第２の環状弾性部材１３でシールして図３のようになる。そのため、ペン先部を収納した両環状弾性部材１３，１６間は、前記ストッパー１０の孔１１ａと空気孔５の間隙を通じて気密空間となるので、キャップ１嵌合時のインク乾燥はほぼ完全に防止でき、過度な加圧もない。
【００１５】
筆記するとき首部２を筆記具用キャップ１から外すには、図３の状態から首部２を外方（図で右方）へ移動させると、まず係合部１８，１９の係合が外れ、内キャップ６はコイルスプリング１２の弾発により首部２とともにストッパー１０の衝止部１１に衝止するまで外方側に僅かに移動し、内キャップ６の底外面が第２の環状弾性部材１３の圧接変形を解除し僅かに離れて図２のようになるので、ペン先部を収納する両環状弾性部材１３，１６間が気密空間から大気連通状態へと変わる。この状態でストッパー１０により移動を停止させられた内キャップ６から首部２のみを外方へ移動させ引き抜いて図１のようにしても、内キャップ６内が大気連通状態になっているため、急激な負圧変化は起こらず、ぺン先からインクが漏れることはない。
【００１６】
筆記するとき胴後部３にキャップ１を被せるには、図４のように胴後部３をキャップ１内に挿入し、内キャップ６の舌片１４を押圧して保持部材１５側に間隙g内を僅かに揺動させ胴後部３を弾性保持させると同時に、胴後部３の他部分をバネカツラ１７で弾性保持する。このとき舌片１４間のスリットから空気が抜けるので、内キャップ６内が加圧されることはなく、かつ２箇所の弾性保持となるので安定した胴後部３の嵌合となる。
【００１７】
【発明の効果】
本発明の筆記具用キャップは、キャップを首部に嵌合したとき、内キャップに舌片をなすスリットが入っていても、環状弾性部材と保持材によりペン先部収納の内キャップ内が確実に気密化されるので、インク蒸発をほぼ完全に防止できる。また、胴後部嵌合時には内キャップ舌片でも胴後部を弾性保持するので、バネカツラとともに２箇所の弾性保持となって、首部嵌合時の気密性を損なわずに安定した胴後部の嵌合が可能となった。
【図面の簡単な説明】
【図１】  本発明の実施例の首部嵌合時の断面図である。
【図２】  同実施例の首部嵌合時の断面図である。
【図３】  同実施例の首部嵌合完了時の断面図である。
【図４】  同実施例の胴後部嵌合時の断面図である。
【図５】  同実施例の内キャップを示す拡大断面図である。
【図６】  同実施例の内キャップと胴後部の嵌合を示す作用図である。
【図７】  同実施例の内キャップと胴後部の嵌合を示す作用図である。
【符号の説明】
１    筆記具用キャップ
２    首部
３    胴後部
４    外キャップ
５    空気孔
６    内キャップ
７    クリップ
８    頭栓
９    内キャップ取付具
１０  ストッパー
１１  衝止部
１１ａ孔
１２  スプリング
１３  第２の環状弾性部材
１４  舌片
１５  保持部材
１６  環状弾性部材
１７  バネカツラ
１８  係合部
１９  係合部
２０  係止部
【図１】
0004212074.tif 000002
【図２】
0004212074.tif 000003
【図３】
0004212074.tif 000004
【図４】
0004212074.tif 000005
【図５】
0004212074.tif 000006
【図６】
0004212074.tif 000007
【図７】
0004212074.tif 000008